(57)【要約】      （修正有）【課題】ホールに入った球を易しく引き出すことができるパークゴルフ用ボール回収器を提供する。【解決手段】ホールに入ったボールを回収するためのパークゴルフ用ボール回収器１００であって、ロッド１１０と、ロッドの末端部に具備されて前記ボールを挟んで取るボールグリップ部１２０とを含む。【選択図】図１
2020039873.tif 000002
【特許請求の範囲】
【請求項１】
ホールに入ったボールを回収するためのパークゴルフ用ボール回収器であって、
ロッドと、前記ロッドの末端部に具備されて前記ボールを挟んで取るボールグリップ部と、を含む
ことを特徴とするパークゴルフ用ボール回収器。
【請求項２】
前記ボールグリップ部は、
前記ボールの直径より０．５乃至１．５mm小さな内部直径を有した環形の円部と、前記円部を前記ロッドに連結させる連結部と、を含む
請求項１に記載のパークゴルフ用ボール回収器。
【請求項３】
前記ボールグリップ部は、前記ボールの半径より０．２５乃至０．７５mm小さな内部曲率半径と１８０度以上の中心角を有する円弧部と、前記円弧部を前記ロッドに連結させる連結部と、を含む
請求項１に記載のパークゴルフ用ボール回収器。
【発明の詳細な説明】
【技術分野】
【０００１】
本発明は、パークゴルフに関するものである。
【背景技術】
【０００２】
一般に、パークゴルフ(park golf)は木などで作られたクラブを利用してボールを打ってグラウンド上のホールに入れる、言葉とおりに公園で打つゴルフ遊びである。このようなパークゴルフは装備や時間に大きくかかわらなくてますますその利用人口が増えている。
【０００３】
競技方式はゴルフに似ている。出発地点(ティーオフ)でホール(hole)を向けてボールを打って順にコースを回る。最終コースまで一番少ない打数でホールにボールを入れる人が勝利する。普通４人１組でゲームをしてゲーム当たり、１８ホールを基準でおおよそ１時間３０分乃至２時間が所要されるが、体力的な負担は少ない。装備は合成樹脂などで内部を満たした直径６cmのボールを使って、木などで作った長さ８６cm、重さ６００gのクラブなどを使用する。クラブにはロフト(loft；クラブとペースが成す角度)が全然なくて浮かぶか、または飛ばなくて危険ではない。
【０００４】
しかし、このようなパークゴルフは長打に対する負担がなくて危険ではなく、年寄り層でたくさん愛用されているが、ホールに入ったボールを腰などを曲げて引き出す実情であるので、腰などが不便な年寄りらに負担になっている。
【発明の概要】
【発明が解決しようとする課題】
【０００５】
本発明の技術的課題は、ホールに入った球を易しく引き出すことができるパークゴルフ用ボール回収器を提供することである。
【課題を解決するための手段】
【０００６】
前記の目的を達成するために、本発明の実施例によるパークゴルフ用ボール回収器は、ホールに入ったボールを回収するためのパークゴルフ用ボール回収器であり、ロッド(rod)と、及び前記ロッドの末端部に具備されて前記ボールを挟んで取るボールグリップ部と、を含む。
【０００７】
一例で、前記ボールグリップ部は、前記ボールの直径より０．５乃至１．５mm小さな内部直径を有した環形の円部と、及び前記円部を前記ロッドに連結させる連結部と、を含むことができる。
【０００８】
他の例で、前記ボールグリップ部は、前記ボールの半径より０．２５乃至０．７５mm小さな内部曲率半径と１８０度以上の中心角を有する円弧部と、及び前記円弧部を前記ロッドに連結させる連結部と、を含むことができる。
【０００９】
前記ボールグリップ部が前記円部を含む場合、一例で、前記円部と前記連結部は一つの線形部材でなされることができるし、前記連結部は前記線形部材の一端部と他端部が平行に置かれた部分であることがあるし、前記円部は前記線形部材の中心部が環形態で湾曲された部分であることができる。
前記線形部材の一端部と他端部は固定部材によって固定されることができる。
【００１０】
前記ボールグリップ部が前記円部を含む場合、他の例で、前記円部は環形の単一部材であることができるし、前記連結部は前記円部の半径方向に配置されて前記円部に固定される線形の単一部材であることができる。
【００１１】
前記ボールグリップ部が前記円弧部を含む場合、前記円弧部は円弧型の単一部材であり、前記連結部は前記円弧部の半径方向に配置されて前記円弧部に溶接などを通じて固定される線形の単一部材であることができる。
前記ロッドは、テレスコピック(telescopic)などの伸縮可能な構造を有することができる。
【００１２】
前記ロッドはパークゴルフクラブであることができるし、前記ボールグリップ部は前記パークゴルフクラブの取っ手部(ヘッド部の反対部分)に着脱可能に具備されることができる。
前記ボールグリップ部は、前記パークゴルフクラブの取っ手部の末端面に形成された穴に着脱可能に挟まれることができる。
【発明の効果】
【００１３】
以上のように、本発明の実施例によるパークゴルフ用ボール回収器は次のような効果を有することができる。
【００１４】
本発明の実施例によれば、ロッドとボールグリップ部を含んで、ボールグリップ部はロッドの末端に具備されてホールに入ったボールを挟んで取る技術構成を提供するので、使用者が腰などを曲げなくてもロッドを取ってボールグリップ部をホールに入れて扱く行為でボールグリップ部にボールが挟まれてつかまることができて、ホールに入った球を易しく引き出すことができる。窮極的に、腰などが不便な年寄りらに有用である。
【００１５】
また、本発明の実施例によれば、ボールグリップ部はボールの直径より０．５乃至１．５mm小さな内部直径を有した環形の円部を含む技術構成を提供するので、円部を通じてボールが抜けないながらも円部にボールが挟まれてつかまることができる。例えば、ボールの直径が６０mmである場合、円部の内部直径は５８．５乃至５９．５mmであることがある。
【００１６】
また、本発明の実施例の変形例によれば、ボールグリップ部はボールの半径より０．２５乃至０．７５mm小さな内部曲率半径と１８０度以上の中心角(すなわち、半円以上のまわり長さ)を有する円弧部を含む技術構成を提供するので、円弧部を通じてボールが抜けないながらも円弧部にボールが挟まれてつかまれることがある。例えば、ボールの半径が３０mmである場合、円弧部の内部曲率半径は２９．２５乃至２９．７５mmであることがある。
【００１７】
また、本発明の実施例によれば、ロッドはテレスコピックなどの伸縮可能な構造を有する技術構成を提供するので、使用者の背に合うようにロッドの長さを調節することができる。
【００１８】
また、本発明の実施例の変形例によれば、ロッドはパークゴルフクラブであり、ボールグリップ部はパークゴルフクラブの取っ手部に着脱可能に具備される技術構成を提供するので、別にロッドのための部材を設けなくても良く、製品単価を低めることができることと併せて本発明のパークゴルフ用ボール回収器の紛失憂慮を防止することができる。
【図面の簡単な説明】
【００１９】
【図１】本発明の第１実施例によるパークゴルフ用ボール回収器を概略的に示した説明図
【図２】本発明の第２実施例によるパークゴルフ用ボール回収器を概略的に示した説明図
【図３】本発明の第３実施例によるパークゴルフ用ボール回収器を概略的に示した説明図
【図４】本発明の第４実施例によるパークゴルフ用ボール回収器を概略的に示した説明図
【図５】本発明の第５実施例によるパークゴルフ用ボール回収器を概略的に示した説明図
【発明を実施するための形態】
【００２０】
以下、添付した図面を参照して本発明の実施例に対して本発明が属する技術分野で通常の知識を有した者が容易に実施できるように詳しく説明する。しかし、本発明はいろいろ相異な形態で具現されることができるし、ここで説明する実施例に限定されない。
【００２１】
図１は、本発明の第１実施例によるパークゴルフ用ボール回収器を概略的に示した図面である。
【００２２】
本発明の第１実施例によるパークゴルフ用ボール回収器１００は、図１に示されたように、ホール(図示せず)に入って行ったボール(図示せず)を回収するためのパークゴルフ用ボール回収器であり、ロッド(rod)１１０とボールグリップ部(ball gripping part)１２０を含む。以下、図１を続いて参照して、各構成要素に対して詳しく説明する。
【００２３】
ロッド１１０は、ボールグリップ部１２０をホールの内部まで位置されるようにするための構成要素である。このようなロッド１１０は、図１に示されたように、テレスコピック(telescopic)などの伸縮可能な構造を有することができる。
【００２４】
したがって、伸縮可能な構造を通じて、使用者の背に合うようにロッド１１０の長さを調節することができる。
【００２５】
ボールグリップ部１２０は、ホールに入ったボールを取り出すために実質的にボールを把持する構成要素である。このようなボールグリップ部１２０は、図１に示されたように、ロッド１１０の末端部に具備されることができるし、ボールをその間に挟んで取る構造を有することができる。
【００２６】
例えば、ボールグリップ部１２０は、図１に示されたように、円部１２１と連結部１２２を含むことができる。円部１２１は環形を有することと併せてボールの直径より０．５乃至１．５mm小さな内部直径(Ｄ)を有することができるし、連結部１２２は円部１２１をロッド１１０に連結させることができる。
【００２７】
具体的に、ボールの直径が６０mmであることによって、円部１２１の内部直径(Ｄ)は５８．５乃至５９．５mmであることがある。実験を通じて確認した結果、５８．５mmより小さい場合にはボールが円部１２１の内部に挟まれなかったし、５９．５mmより大きい場合には や熱膨張などによってボールが概して抜けてしまうことを確認することができた。より望ましくは、円部１２１の内部直径(Ｄ)がボールの直径よりおおよそ１mm程度小さい場合が最適の状態であることを確認することができた。
【００２８】
したがって、環形の円部１２１がボールの直径より０．５乃至１．５mm小さな内部直径(Ｄ)を有する場合、円部１２１を通じてボールが抜けないながらも円部１２１にボールが挟まれてつかまることができて、ボールを円滑に回収することができる。
【００２９】
ひいては、図１に示されたように、円部１２１と連結部１２２は一つの線形部材(Ｌ１０)でなされることができる。特に、連結部１２２は線形部材(Ｌ１０)の一端部(Ｌ１１)と他端部(Ｌ１２)が平行に置かれた部分であることができるし、円部１２１は線形部材(Ｌ１０)の中心部(Ｌ１３)が環形態で湾曲された部分であることができる。よって、一つの線形部材(Ｌ１０)を通じて円部１２１と連結部１２２を製作することができて、別途の溶接などの接着工程がなくて製造工程が単純化されることができるし、一つの線形部材(Ｌ１０)で製品単価を低めることができる。
【００３０】
したがって、上のような構成要素らを提供するので、使用者が腰などを曲げなくてもロッド１１０を取ってボールグリップ部１２０をホールに入れて扱く行為でボールグリップ部１２０にボールが挟まれてつかまることができて、ホールに入った球を易しく引き出すことができる。窮極的に、腰などが不便な年寄りらに有用であきる。
【００３１】
以下、図２を参照して、本発明の第２実施例によるパークゴルフ用ボール回収器２００に対して説明する。
図２は、本発明の第２実施例によるパークゴルフ用ボール回収器を概略的に示した図面である。
【００３２】
本発明の第２実施例によるパークゴルフ用ボール回収器２００は、図２に示されたように、固定部材２３０がさらに含まれることを除いては上述した本発明の第１実施例と等しいので、以下ではこれを主として説明する。
【００３３】
固定部材２３０は、図２に示されたように、連結部１２２を成す線形部材(Ｌ１０)の一端部(Ｌ１１)と他端部(Ｌ１２)を囲んでこの二つを固定させることができる。特に、固定部材２３０は、線形部材(Ｌ１０)の一端部(Ｌ１１)と他端部(Ｌ１２)との間の間隔を維持させることができる。
【００３４】
したがって、連結部１２２を成す線形部材(Ｌ１０)の一端部(Ｌ１１)と他端部(Ｌ１２)が離れることを防止することができ、円部１２１の内部直径(Ｄ)が上述した大きさで最大限維持されることができる。
【００３５】
以下、図３を参照して、本発明の第３実施例によるパークゴルフ用ボール回収器３００に対して説明する。
図３は、本発明の第３実施例によるパークゴルフ用ボール回収器を概略的に示した図面である。
【００３６】
本発明の第３実施例によるパークゴルフ用ボール回収器３００は、図３に示されたように、ボールグリップ部３２０を除いては上述した本発明の第１実施例と等しいので、以下ではこれを主として説明する。
【００３７】
ボールグリップ部３２０は、図３に示されたように、円部３２１と連結部３２２を含むことができる。円部３２１は環形を有することと併せてボールの直径より０．５乃至１．５mm小さな内部直径(Ｄ)を有することができるし、連結部３２２は円部３２１をロッド１１０に連結させることができる。円部３２１の内部直径(Ｄ)と関連した数値は上述した本発明の第１実施例と言及されたものと同一であるので、その具体的な説明は略する。
【００３８】
特に、図３に示されたように、円部３２１は環形の単一部材であることができるし、連結部３２２は円部の半径方向に配置されて円部に固定される線形の単一部材であることができる。よって、円部３２１と連結部３２２を連結するために溶接などの接合工程が要求されることはあるが、円部３２１が環形の単一部材でなされるので、ボールを挟んで取るために設定された円部３２１の内部直径(Ｄ)を安定的に維持することができる。
【００３９】
以下、図４を参照して、本発明の第４実施例によるパークゴルフ用ボール回収器４００に対して説明する。
図４は、本発明の第４実施例によるパークゴルフ用ボール回収器を概略的に示した図面である。
【００４０】
本発明の第４実施例によるパークゴルフ用ボール回収器４００は、図４に示されたように、ボールグリップ部４２０を除いては上述した本発明の第１実施例と等しいので、以下ではこれを主として説明する。
【００４１】
ボールグリップ部４２０は、図４に示されたように、円弧部４２１と連結部４２２を含むことができる。円弧部４２１はボールの半径より０．２５乃至０．７５mm小さな内部曲率半径(Ｒ)と１８０度以上の中心角(θ)(すなわち、半円以上のまわり長さ)を有することができるし、連結部４２２は円弧部４２１をロッド１１０に連結させることができる。
【００４２】
具体的に、ボールの半径が３０mmであることによって、円弧部４２１の内部曲率半径(Ｒ)は２９．２５乃至２９．７５mmであることがある。実験を通じて確認した結果、２９．２５mmより小さい場合にはボールが円弧部４２１の内部に挟まれなかったし、２９．７５mmより大きい場合には製作公差や熱膨張などによってボールが概して抜けてしまうことを確認することができた。より望ましくは、円弧部４２１の内部曲率半径(Ｒ)がボールの半径よりおおよそ０．５mm程度小さい場合が最適の状態であることを確認することができた。
【００４３】
したがって、１８０度以上の中心角(θ)を有した円弧部４２１がボールの半径より０．２５乃至０．７５mm小さな内部曲率半径(Ｒ)を有する場合、円弧部４２１を通じてボールが抜けないながらも円弧部４２１にボールが挟まれてつかまることができて、ボールを円滑に回収することができる。特に、円弧部４２１にボールが挟まれるうちに円弧部４２１の開放された両側端部が自体弾性によって設定量が離れながら円滑にボールを挟んで取ることができる。
【００４４】
また、円弧部４２１は円弧型の単一部材であることができるし、連結部４２２は円弧部４２１の半径方向に配置されて円弧部４２１に溶接などを通じて固定される線形の単一部材であることができる。
【００４５】
以下、図５を参照して、本発明の第５実施例によるパークゴルフ用ボール回収器５００に対して説明する。
図５は、本発明の第５実施例によるパークゴルフ用ボール回収器を概略的に示した図面である。
【００４６】
本発明の第５実施例によるパークゴルフ用ボール回収器５００は、図５に示されたように、ロッド５１０を除いては上述した本発明の第１実施例と等しいので、以下ではこれを主として説明する。
【００４７】
ロッド５１０は、図５に示されたようにパークゴルフクラブ(park golf club)(以下、図面符号“５１０”を付与する)であることがある。ボールグリップ部１２０はパークゴルフクラブ５１０の取っ手部(ヘッド部の反対部分)に着脱可能に具備されることができる。特に、ボールグリップ部１２０は、図５に示されたように、パークゴルフクラブ５１０の取っ手部の末端面に既に形成されている穴５１１に着脱可能に挟まれることができる。
【００４８】
したがって、別にロッドのための部材を設けなくても良く、製品単価を低めることができることと併せて本発明の第５実施例によるパークゴルフ用ボール回収器５００の紛失憂慮を防止することができる。
【００４９】
以上で本発明の望ましい実施例に対して詳細に説明したが、本発明の権利範囲はこれに限定されるものではなく、次の請求範囲で定義している本発明の基本概念を利用した当業者の多くの変形及び改良形態も本発明の権利範囲に属する。
【符号の説明】
【００５０】
１００、２００、３００、４００、５００  パークゴルフ用ボール回収器
１１０、５１０  ロッド
１２０、３２０、４２０  ボールグリップ部
１２１、３２１  円部
１２２、３２２、４２２  連結部
２３０  固定部材
４２１  円弧部
５１１  穴
Ｌ１１  線形部材の一端部
Ｌ１２  線形部材の他端部
Ｌ１３  線形部材の中心部
Ｄ  円部の内部直径
Ｒ  円弧部の内部曲率半径
θ  円弧部の中心角
【図１】
2020039873.tif 000003
【図２】
2020039873.tif 000004
【図３】
2020039873.tif 000005
【図４】
2020039873.tif 000006
【図５】
2020039873.tif 000007